(57)【特許請求の範囲】
【請求項１】
機体に設けられた貯留部、乾燥部及び集穀部を循環する穀物に熱風を浴びせて乾燥する穀物乾燥機において、前記機体の側面下部に、機体の前後方向に所定の長さを有し前記集穀部に連通する穀物投入口を設けると共に、前後方向に複数に分割され長手方向の両端部にガイド板が設けられた張込ホッパーを前記穀物投入口に開閉可能に設けて、該複数の張込ホッパーを選択使用可能に構成したことを特徴とする穀物乾燥機における穀物張込装置。
【請求項２】
前記複数に分割された張込ホッパーが、一枚の板状の張込ホッパーに連結され得ることを特徴とする、請求項１記載の穀物乾燥機における穀物張込装置。
【請求項３】
前記複数に分割された張込ホッパーが、それぞれ異なる長さに設定されていることを特徴とする、請求項１もしくは請求項２記載の穀物乾燥機における穀物張込装置。
【請求項４】
前記複数に分割された張込ホッパーが、機体の前後方向に取り替え可能に設けられていることを特徴とする、請求項１もしくは請求項２もしくは請求項３記載の穀物乾燥機における穀物張込装置。
【発明の詳細な説明】
【０００１】
【発明の属する技術分野】
本発明は、穀物を循環させながら熱風を浴びせて乾燥させる穀物乾燥機において、機体内に穀物を張り込むための穀物張込装置に関する。
【０００２】
【従来の技術】
従来、穀物乾燥機は、略箱状の機体の上部に貯留部を形成し、この貯留部の下方に乾燥部を、さらにその下方に集穀部を形成すると共に、集穀部に集められた穀物を揚穀機等によって貯留部の上部まで搬送して穀物を循環させ、この循環中、乾燥部内を通過する穀物に、バーナと送風機によって生成される熱風を浴びせて乾燥している。
【０００３】
そして、この穀物乾燥機には、その機体内に穀物を張り込むための穀物張込装置が設けられているが、この穀物張込装置としては、例えば実開昭６０−６３７９４号公報及び実開平１−７５７９５号公報に開示のものが知られている。これらの穀物張込装置５０は、図６に示すように、機体５１の側面５１ａ下部に設けた穀物投入口５２と、この穀物投入口５２部に開閉可能に設けた張込ホッパー５３とで構成され、張込ホッパー５３を開くことにより、穀物が機体５１内の集穀部５４に張り込まれる。
【０００４】
【発明が解決しようとする課題】
しかしながら、この穀物張込装置５０にあっては、張込ホッパー５３が一枚の板状に形成され、この張込ホッパー５３で、機体５１の前後方向の長さと略同一の長さを有する穀物投入口５２を開閉するため、例えば図６の二点鎖線で示すように、穀物乾燥機の側面５１ａ側の設置場所に、例えば柱等の固定化された障害物Ｓ１があった場合、張込ホッパー５３がスムーズに開閉できない。特に、穀物乾燥機が特定の期間にのみ使用されることから、普段邪魔にならない農機具小屋等の壁面に沿って設置する場合が多く、この種の問題が発生し易い。
【０００５】
また、機体５１の側面５１ａ側の床面上に、乾燥終了後の籾袋や張り込み前の籾袋等の移動可能な障害物Ｓ２が一時的に置かれている場合であっても、この障害物Ｓ２を張込ホッパー５３の全長に亘り所定距離移動させなければ、張込ホッパー５３を開いて張込作業を行うことが難しい。これらのことから、張込ホッパー５３の使い勝手が劣り、張込作業の作業効率も劣るという問題点があった。
【０００６】
本発明はこのような事情に鑑みてなされたもので、その目的は、張込ホッパーの使い勝手を向上させ、張込作業の作業効率を向上させ得る、穀物乾燥機における穀物張込装置を提供することにある。
【０００７】
【課題を解決するための手段】
かかる目的を達成すべく、請求項１記載の穀物乾燥機における穀物張込装置は、機体に設けられた貯留部、乾燥部及び集穀部を循環する穀物に熱風を浴びせて乾燥する穀物乾燥機において、機体の側面下部に、機体の前後方向に所定の長さを有し集穀部に連通する穀物投入口を設けると共に、前後方向に複数に分割され長手方向の両端部にガイド板が設けられた張込ホッパーを穀物投入口に開閉可能に設けて、複数の張込ホッパーを選択使用可能に構成したことを特徴とする。
【０００８】
この穀物乾燥機における穀物張込装置によれば、機体の穀物投入口を開閉し得ると共に長手方向の両端部にガイド板が設けられた張込ホッパーが穀物投入口の長さ方向に分割されているため、穀物を張り込む場合、例えば柱等の障害物がなく開閉動作がスムーズに行える張込ホッパーを選択して開くことにより、機体内に穀物を張り込むことができ、張込ホッパーの使い勝手等が向上する。
【０００９】
また、請求項２記載の穀物張込装置は、複数に分割された張込ホッパーが、一枚の板状の張込ホッパーに連結され得ることを特徴とする。この穀物張込装置によれば、分割されている複数の張込ホッパーを連結して、一枚の板状のホッパーとすることにより、機体の側面に障害物等がなく、穀物投入口の全域において張込ホッパーの開閉動作がスムーズに行える場合には、従来と同様に使用できて使い勝手が一層向上し、張込作業の作業効率も向上する。
【００１０】
また、請求項３記載の穀物張込装置は、複数に分割された張込ホッパーが、それぞれ異なる長さに設定されていることを特徴とする。この穀物張込装置によれば、複数の張込ホッパーの長さが異なるため、例えば長さの短い張込ホッパー部分に障害物を位置させることにより、長さが長い大きな張込ホッパーを使用することができ、張込作業効率の向上等が図れる。
【００１１】
また、請求項４記載の穀物張込装置は、複数に分割された張込ホッパーが、前後方向に取り替え可能に設けられていることを特徴とする。この穀物張込装置によれば、例えば長さの異なる複数の張込ホッパーを前後方向に入れ替えて取り付けることができるため、障害物の位置に応じて張込ホッパーを選択使用でき、張込ホッパーの使い勝手等が一層向上する。
【００１２】
【発明の実施の形態】
以下、本発明の実施の形態を図面に基づいて詳細に説明する。
図１〜図３は、本発明に係わる穀物乾燥機における穀物張込装置の一実施例を示し、図１がその穀物乾燥機の斜視図、図２が穀物張込装置の使用状態を示す要部の斜視図、図３が他の使用状態を示す要部の斜視図である。
【００１３】
図１において、穀物乾燥機１は、貯留部３、乾燥部４、集穀部５からなる略箱状の機体２を有し、機体２の外部に立設された揚穀機６で揚上された穀物は、上部搬送機構（図示せず）によって搬送されて貯留部３内に均分落下される。この貯留部３内の穀物は乾燥部４で熱風を浴びせられた後、繰り出しバルブ（図示せず）によって集穀部５の下部に集められ、下部搬送機構７で揚穀機６まで移送されて再び貯留部３まで揚上されるという循環を繰り返しつつ乾燥される。
【００１４】
また、乾燥部４には、その前面側に熱風を発生するバーナ８が設けられると共に、後面側にバーナ８からの熱風を吸引して機体２外に排出する送風機（図示せず）が設けられている。なお、揚穀機６の前面には、穀物の水分値を測定する水分計９が設けられている。
【００１５】
機体２は、前側面２ａ、後側面２ｂ、右側面２ｃ及び左側面２ｄを有し、例えば右側面２ｃ下部には、穀物張込装置１１が配設されている。この穀物張込装置１１は、機体２の右側面２ｃに形成された穀物投入口１２と、この穀物投入口１２部に開閉可能に配設された張込ホッパー１３を有している。穀物投入口１２は、機体２の前後方向の略全長に亘って縦長に形成され、この穀物投入口１２の下端には、例えば集穀部５の流穀板（図示せず）の上端が連結されている。これにより、穀物投入口１２は集穀部５に連通している。
【００１６】
張込ホッパー１３は２分割されて、第１ホッパー１４と第２ホッパー１５を有し、第１ホッパー１４の長手方向の両端部には、ガイド板１６がそれぞれ固定され、第２ホッパー１５の長手方向の両端部には、ガイド板１７がそれぞれ固定されている。このガイド板１６、１７には、チェーン１８の前端が係止され、チェーン１８の後端は、図２及び図３に示すように、穀物投入口１２の上端内部に設けられたフック１９にそれぞれ係止されている。
【００１７】
このチェーン１８によって、第１ホッパー１４及び第２ホッパー１５が開いた際に所定位置に保持されると共に、チェーン１８の長さによって、両ホッパー１４、１５の開き度合いが決定される。なお、第１ホッパー１４及び第２ホッパー１５は、チェーン１８に限らず例えば開閉ロッド（図示せず）等で保持するようにして良い。
【００１８】
第１ホッパー１４及び第２ホッパー１５は、図２及び図３に示すように、第１ホッパー１４の長さＬ１（図２参照）が第２ホッパー１５の長さＬ２（図３参照）の１／２（Ｌ１：Ｌ２＝１：２）になる如く設定され、例えば機体２の集穀部５の支柱２０の間隔に対応して設けられている。これにより、第１ホッパー１４で穀物投入口１２の前方側の１／３が開閉され、第２ホッパー１５で穀物投入口１２の後方側の２／３が開閉されるように構成されている。この第１ホッパー１４及び第２ホッパー１５の下端は、例えば穀物投入口１２の下端の機体２に図示しない軸を介して回動自在に連結されている。
【００１９】
また、第１ホッパー１４及び第２ホッパー１５は、その長手方向の略中央位置上端に、例えば回動可能なフックを有する係止金具２１（図２及び図３参照）が取り付られている。この係止金具２１を回転させそのフックを機体２の穀物投入口１２の上端縁に係止させることにより、第１ホッパー１４及び第２ホッパー１５が穀物投入口１２を閉塞し、係止金具２１を回転させそのフックを機体２から外すことにより、第１ホッパー１４及び第２ホッパー１５がチェーン１８の長さに応じた開き度合いだけ開き、穀物投入口１２が開口する。なお、穀物張込装置１１は、機体２の右側面２ｃか左側面２ｄのどちらか一方に取り付けられるように構成されている。
【００２０】
この穀物張込装置１１によれば、張込ホッパー１３を３つの形態で使用することができる。すなわち、先ず、機体２の右側面２ｃに障害物Ｓ１、Ｓ２（図６参照）がなく、張込ホッパー１３を全開状態で使用し得る場合は、図１に示すように、第１ホッパー１４及び第２ホッパー１５を共に開いて、両ホッパー１４、１５を使用して穀物を機体２内に張り込む。この穀物は、穀物投入口１２から例えば流穀板に沿って集穀部５内に収容され、揚穀機６等で揚上される。この使用形態においては、従来と同様にして使用することができる。
【００２１】
次に、例えば機体２の右側面２ｃの後方側に障害物Ｓ１、Ｓ２があり、第２ホッパー１５をスムーズに開くことができない場合は、図２に示すように、第２ホッパー１５を閉じた状態で、第１ホッパー１４のみその係止金具２１を機体２から外して開き、この第１ホッパー１４によって穀物を機体２内に張り込む。なお、この使用形態は、例えば第２ホッパー１５も開閉可能であるものの、張り込む穀物の量が少ない場合等にも適用できる。
【００２２】
また、例えば機体２の右側面２ｃの前方側に障害物Ｓ１、Ｓ２があり、第１ホッパー１４を開くことができない場合は、図３に示すように、第１ホッパー１４を閉じた状態で、第２ホッパー１５のみその係止金具２１を機体２から外して開き、この第２ホッパー１５によって穀物を機体２内に張り込む。この使用形態においても、障害物Ｓ１、Ｓ２の有無に係わらず、例えば張り込む穀物の量に応じて、第２ホッパー１５のみを使用して張り込むこともできる。
【００２３】
このように、この実施例の穀物張込装置１１によれば、機体２の右側面２ｃ下部の穀物投入口１２を開閉する張込ホッパー１３を２分割して、第１ホッパー１４と第２ホッパー１５とで形成しているため、両ホッパー１４、１５を共に使用する形態と、第１ホッパー１４のみ使用する形態及び第２ホッパー１５のみ使用する形態の３つの形態を選択して使用することができ、例えば機体２の右側面２ｃ側の設置場所等に固定化された障害物Ｓ１があった場合、開閉可能な第１ホッパー１４もしくは第２ホッパー１５を使用して穀物を機体２内に張り込むことができる。
【００２４】
また、機体２の右側面２ｃ側の床面で張込ホッパー１３の近傍に、例えば乾燥後の籾袋や乾燥前の籾袋等の移動可能な障害物Ｓ２が一時的に置かれている場合であっても、この障害物Ｓ２を一々移動させることもなく、開閉可能な第１ホッパー１４もしくは第２ホッパー１５を使用して穀物を張り込むことができるし、あるいは張り込む穀物の量に応じて第１ホッパー１４もしくは第２ホッパー１５を選択使用して張り込むことができる。これらのことから、穀物張込装置１１の張込ホッパー１３の使い勝手が著しく向上し、例えば張込作業の作業効率を向上させることが可能になる。
【００２５】
さらに、第１ホッパー１４及び第２ホッパー１５の長さＬ１、Ｌ２を機体２の支柱２０の間隔に対応して、１：２に設定しているため、チェーン１８の後端を機体２の支柱２０部に固定支持することができ、張り込み時に、第１ホッパー１４や第２ホッパー１５に加わる荷重を十分に支持することができ、安定した張込作業が可能になる。
【００２６】
なお、上記実施例においては、長さＬ１の短い第１ホッパー１４を機体２の前方側に配設し、長さＬ２の長い第２ホッパー１５を機体２の後方側に配設したが、例えば図４に示すように、第１ホッパー１４及び第２ホッパー１５を前後方向に取り替え可能に配設しても良い。すなわち、機体２の穀物投入口１２の上端内部に、チェーン１８の後端を係止し得る合計６個のフック１９ａ〜１９ｆを、２個づつ所定の間隔で固定し、第２ホッパー１５をフック１９ａ、１９ｄを利用して取り付け、第１ホッパー１４をフック１９ｅ、１９ｆを利用して取り付ける。
【００２７】
このように構成すれば、障害物Ｓ１、Ｓ２の位置に応じて、使用し得る張込ホッパー１３を第１ホッパー１４か第２ホッパー１５かに選択でき、できるだけ大きなホッパーを使用できる等、使い勝手を一層向上させることが可能になる。なお、この変形例において、第１ホッパー１４及び第２ホッパー１５を図１に示すように取り付ける場合は、フック１９ａ、１９ｂを利用して第１ホッパー１４を取り付け、フック１９ｃ、１９ｆを利用して第２ホッパー１５を取り付けることになる。
【００２８】
図５は、本発明に係わる穀物張込装置の他の実施例を示し、この実施例の特徴は、第１ホッパー２４及び第２ホッパー２５を連結して、一枚の板状の張込ホッパー２３としても使用できるように構成した点にある。すなわち、第１ホッパー２４及び第２ホッパー２５の長手方向の両端部に連結板２８をそれぞれ設けると共に、第１ホッパー２４及び第２ホッパー２５のガイド板２６、２７を脱着可能に設ける。
【００２９】
第１ホッパー２４及び第２ホッパー２５の連結板２８には、一対の孔２８ａが穿設され、この孔２８ａを利用してボルト２９とナット３０によって、両ホッパー２４、２５が連結される。この場合、第１ホッパー２４及び第２ホッパー２５の連結部に位置し、各ホッパー２４、２５に設けた孔２４ａ、２５ａに、孔２６ａ、２７ａを介してボルト３１とナット３２によって取り付けられているガイド板２６、２７を取り外す。これにより、両端部にガイド板２６、２７が一枚づつ固定され、長さがＬ１＋Ｌ２の一枚の板状の張込ホッパー２３が形成される。
【００３０】
このように構成すれば、第１ホッパー２４及び第２ホッパー２５を分割した状態で、どちらか一方を使用したり、分割したまま両ホッパー２４、２５を共に使用することができると共に、連結して一枚の板状のホッパー２３にして使用することもでき、４つの形態の使用が可能になって、穀物張込装置１１の使い勝手を一層向上させることができる。
【００３１】
なお、上記各実施例においては、張込ホッパーを１：２に分割した場合について説明したが、本発明はこれに限定されるものでもなく、例えば３分割以上に形成しても良いし、分割する比率も１：１や他の適宜の比率に設定することができる。また、上記各実施例における、穀物乾燥機の形態、張込ホッパーの形状及び機体への取付位置、取付方法、係止金具の構造等も一例であって、本発明の要旨を逸脱しない範囲において、種々変更可能であることはいうまでもない。
【００３２】
【発明の効果】
以上詳述したように、請求項１記載の穀物乾燥機における穀物張込装置によれば、長手方向の両端部にガイド板を設けた張込ホッパーが穀物投入口の前後方向に複数に分割されているため、この分割された張込ホッパーを設置場所等の状況に応じて選択使用することができて、張込ホッパーの使い勝手を向上させることができ、張込作業の作業効率の向上が図れる。
【００３３】
また、請求項２記載の穀物張込装置によれば、複数に分割されている張込ホッパーを連結して、一枚の板状の張込ホッパーとすることができるため、従来と同様の使用形態での使用が可能になり、使い勝手等が一層向上する。
【００３４】
また、請求項３記載の穀物張込装置によれば、長さの異なる複数の張込ホッパーにより、例えばできるだけ大きな張込ホッパーを使用して張り込むことができ、張込作業効率の向上等が図れる。
【００３５】
また、請求項４記載の穀物張込装置によれば、例えば長さの異なる複数の張込ホッパーを前後方向に取り替えて使用することができるため、障害物等の位置に応じて張込ホッパーを選択使用でき、使い勝手等が一層向上する。
【図面の簡単な説明】
【図１】本発明に係わる穀物張込装置を使用した穀物乾燥機の一実施例を示す斜視図
【図２】同穀物張込装置の使用状態を示す要部の斜視図
【図３】同穀物張込装置の他の使用状態を示す要部の斜視図
【図４】同穀物張込装置の変形例の使用状態を示す要部の斜視図
【図５】本発明に係わる穀物張込装置の他の実施例を示す要部の分解斜視図
【図６】従来の穀物張込装置の使用状態を示す要部の斜視図
【符号の説明】
１・・・・・・・穀物乾燥機
２・・・・・・・機体
２ｃ・・・・・・右側面
３・・・・・・・貯留部
４・・・・・・・乾燥部
５・・・・・・・集穀部
１１・・・・・・穀物張込装置
１２・・・・・・穀物投入口
１３・・・・・・張込ホッパー
１４・・・・・・第１ホッパー
１５・・・・・・第２ホッパー
１６、１７・・・ガイド板
１８・・・・・・チェーン
２３・・・・・・張込ホッパー
２４・・・・・・第１ホッパー
２５・・・・・・第２ホッパー
２６、２７・・・ガイド板
２８・・・・・・連結板
Ｓ１、Ｓ２・・・障害物
【図１】
0003730705.tif 000002
【図２】
0003730705.tif 000003
【図３】
0003730705.tif 000004
【図４】
0003730705.tif 000005
【図５】
0003730705.tif 000006
【図６】
0003730705.tif 000007